(57)【要約】本発明は、通路や運動場でにユーザーの身体を安全確実に支え、ユーザーの脊椎を守り、さらに、ユーザーの脊椎を正しく保つことからユーザーの身体を快適に支えながらユーザーの直立歩行を可能にする、年長者とリハビリテーション運動が必要な患者用の安全ジャケット及び前記安全ジャケットを有する運動器具に関する。前記安全ジャケットには、ユーザーの身体の周りを囲み、その上部、底部、及び前部が開いている本体が含まれる。脇支持部が、前記本体の左右側のそれぞれに凹状に形成された溝に沿って装着されている。複数の支持ベルトが、前記本体または前記脇支持部のいずれかに着脱自在に連結されている。少なくとも１つの締結具が、前記本体の前部に装着され、ユーザーの身体を着脱自在に保持している。
2009542406.tif 000002
【特許請求の範囲】
【請求項１】
年長者とリハビリテーション運動が必要な患者用の安全ジャケットであって、その上部、底部、及び前部が開いているユーザーの身体の周りを囲む本体と、前記本体の左右側のそれぞれに凹状に形成された溝に沿って装着され、ユーザーの身体を支える脇支持部と、前記本体または前記脇支持部にいずれかに着脱自在に連結する複数の支持ベルトと、さらに、前記本体の前部に装着され、ユーザーの身体を着脱自在に保持する少なくとも１つの締結具と、で構成されることを特徴とする年長者とリハビリテーション運動が必要な患者用の安全ジャケット。
【請求項２】
前記本体が、その下部分に複数の補助支持ベルトをさらに具備し、そこでは、脊椎バンドが前記本体の下端部に着脱自在に取り付けられていることを特徴とする請求項１に係る安全ジャケット。
【請求項３】
衝撃吸収部が前記脇支持部の上面に装着されることを特徴とする請求項１または２係る安全ジャケット。
【請求項４】
前記本体は、基本フレームワークを規定するフレームと、前記フレームの外面の周りを囲む被覆部と、で構成されることを特徴とする請求項３に係る安全ジャケット。
【請求項５】
前記フレームは複数の通気孔を具備し、前記被覆部は複数の通気孔を有するネットまたはクッション効果を有する衝撃吸収部のいずれかで構成されることを特徴とする請求項４に係る安全ジャケット。
【請求項６】
衝撃吸収材料が前記フレームと前記被覆部との間に挟入されることを特徴とする請求項５に係る安全ジャケット。
【請求項７】
前記支持ベルトは４つ以上の支持ベルトで構成され、前記補助支持ベルトは４つ以上の補助支持ベルトで構成され、さらに、前記支持ベルトと前記補助支持ベルトは、互いに平行になるように運動器具のフレームに装着されることを特徴とする請求項１または２に係る安全ジャケット。
【請求項８】
年長者とリハビリテーション運動が必要な患者用の運動器具において、安全ジャケットであって、ユーザーの背部と側腹部の周りを囲む本体と、前記本体の左右側のそれぞれに凹状に形成された溝に沿って装着され、ユーザーの脇下を支える脇支持部と、前記本体または前記脇支持部にいずれかに着脱自在に連結する複数の支持ベルトと、前記本体の前部に装着され、ユーザーの身体を着脱自在に保持する少なくとも１つの締結具と、さらに、複数の係止突起を有することから前記複数個の支持ベルトが前記係止突起に着脱自在に連結できるようになっているフレームと、を具備することを特徴とする安全ジャケットで構成されることを特徴とする、年長者とリハビリテーション運動が必要な患者用の運動器具。
【請求項９】
前記安全ジャケットが、その下部分に複数の補助支持ベルトをさらに具備し、そこでは、脊椎バンドが前記本体の下端部に着脱自在に取り付けられていることを特徴とする請求項８に係る運動器具。
【請求項１０】
年長者とリハビリテーション運動が必要な患者用の運動器具において、安全ジャケットであって、ユーザーの背部と側腹部の周りを囲む本体と、前記本体の左右側のそれぞれに凹状に形成された溝に沿って装着され、ユーザーの脇下を支える脇支持部と、前記本体または前記脇支持部にいずれかに着脱自在に連結する複数の支持ベルトと、前記本体の前部に装着され、ユーザーの身体を着脱自在に保持する少なくとも１つの締結具と、基板に垂直に装着された複数の柱と、を有することを特徴とする安全ジャケットを含み、前記複数個の柱によって水平方向に支持されるように装着された一対のガイドレールを含み、さらに、前記ガイドレールに沿って移動する移動具であって、前記安全ジャケットが前記複数個の支持ベルトによって前記移動具に着脱自在に連結することを特徴とする移動具と、を含む。
【請求項１１】
請求項１０に係る運動器具において、前記移動具は、回転自在に装着される複数のローラーを有する可動部と、前記可動部下に回転自在に装着され、複数の係止突起を有することから、前記安全ジャケットの支持ベルトが前記係止突起に着脱自在に連結できるようになっている回転部と、さらに、前記回転部の下部分に設けられたハンドルフレームと、を具備することを特徴とする運動器具。
【請求項１２】
前記安全ジャケットは、前記本体の下部分に複数の補助支持ベルトをさらに具備し、そこでは、脊椎バンドが前記本体の下端部に着脱自在に取り付けられていることを特徴とする請求項１０に係る運動器具。
【発明の詳細な説明】
【技術分野】
【０００１】
本発明は、一般に年長者とリハビリテーション運動が必要な患者用の安全ジャケット及び前記安全ジャケットを有する運動器具に関し、特に、本発明は、通路や運動場でにユーザーの身体を安全確実に支え、ユーザーの脊椎を守り、さらに、ユーザーの脊椎を正しく保つことからユーザーの身体を快適に支えながらユーザーの直立歩行を可能にする、年長者とリハビリテーション運動が必要な患者用の安全ジャケット及び前記安全ジャケットを有する運動器具に関する。
【背景技術】
【０００２】
健康的な生活を送るために、年長者またはリハビリテーション運動が必要な患者が毎日定期的な運動を規則的に行うことが非常に重要である。しかしながら、年長者またはリハビリテーション運動が必要な患者は脆弱であり、その身体が不安定なので、かかる運動中に突如として眩暈を感じたり転倒する可能性や、腕や脚が疲れて転倒する可能性もある。
【０００３】
最近になって、年長者とリハビリテーション運動が必要な患者用のランニングマシンが世界中の市場で出現している。前記ランニングマシンには、ベルトトラックの両側の上に装着されたハンドルバーと、０.１〜０.２Ｋｍ/時の低速で緩慢に動作する前記ベルトトラックと、緊急時に前記ランニングマシンを操作して停止させる停止ボタンと、が含まれている。年長者またはリハビリテーション運動が必要な患者は、前記ランニングマシンの両側に装着された前記ハンドルバーを保持し、低速度で動く前記ベルトトラック上を緩慢に歩行する。しかしながら、前記年長者またはリハビリテーション運動が必要な患者が運動中に突如として眩暈を感じたり転倒したり、またはその腕や脚が疲れるため彼らが前記ハンドルバーを放して転倒したりする際、そのような状況に効果的に対処ことは不可能である。よって、年長者またはリハビリテーション運動が必要な患者が運動中に転倒することを防止し、かつの身体が安全確実に支えられた状態で運動を継続することを可能にする器具の開発には、とりわけ切迫した必要性がある。
【０００４】
さらに、年長者またはリハビリテーション運動が必要な患者の健康を効果的にケアするため、ＩＴ技術を利用するホームケアシステムが開発されている。前記ホームケアシステムを通じて、担当医師は遠隔診断を行い、年長者または患者は自宅で医薬の処方を受けるので、年長者または患者が通院または入院する際に生じる精神的な負担や医療サービス料金を軽減することができる。自宅において診断、治療を受けたり、リハビリテーション運動を行うことにより、年長者または患者はその健康を効果的ケアできる。
【０００５】
しかしながら、ホームケアシステムを実施するためには、年長者または患者が安全かつ容易に運動を行ったり、または介護者の介助なしにリハビリテーション運動を行うことを可能にする運動器具または保護器具が必要になる。この実用的な需要のため、ユーザーが安全かつ快適にその身体を支えながら、さまざまな種類の運動やリハビリテーション運動を行うのに役立つ運動器具または保護器具の開発は緊急に行わなければならない。
【０００６】
なお、年長者またはリハビリテーション運動が必要な患者の運動中に事故を防止し、ユーザーが継続して運動を行うことを可能にする韓国特許申請第１０-２００６-１６６０４号（年長者とリハビリテーション運動が必要な患者用の歩行支援装置）が本発明の出願人によって出願されている。引用文献によれば、前記歩行支援装置には、ユーザーの身体を支え、年長者またはリハビリテーション運動が必要な患者が運動を行い転倒した際にユーザーの身体を安全にキャッチする安全支持具が設けられている。しかしながら、前記安全支持具には、身体障害のある年長者またはリハビリテーション運動が必要な患者にとって前記安全支持具を装着することが容易でないという問題がある。さらに、脇支持部にクッションが設けられていないので、転倒などの事故が発生した際に、前記脇支持部はユーザーの脇下を強く圧迫するため、痛み引き起こしてしまう。
【発明の概要】
【発明が解決しようとする課題】
【０００７】
それ故、本発明は、従来技術で発生する上記問題点を念頭に置いてなされたものであり、本発明の目的は、快適な軟質クッションが脇下ベルトに取り付けられているため、ユーザーの身体を支える脇下部分の痛みを軽減し、ユーザーが容易に装着でき、ユーザーの脊椎を守り、その身体を直立状態に保ち、その体重を支え、加えて、ユーザーがさまざまな種類の運動を快適に行うことを可能にする、年長者とリハビリテーション運動が必要な患者用の安全ジャケット及び前記安全ジャケットを有する運動器具を提供することである。
【０００８】
本発明の別の目的は、前記年長者または患者が安全かつ快適に歩行することや、介護者の介助なしに自宅でリハビリテーション運動を行うことを可能にする、年長者とリハビリテーション運動が必要な患者用の安全ジャケット及び前記安全ジャケットを有する運動器具を提供することである。
【課題を解決するための手段】
【０００９】
前記目的を達成するために本発明は、年長者とリハビリテーション運動が必要な患者用の安全ジャケットを提供するものであって、該ジャケットには、その上部、底部、及び前部が開いているユーザーの身体の周りを囲む本体と、前記本体の左右側のそれぞれに凹状に形成された溝に沿って装着され、ユーザーの身体を支える脇支持部と、前記本体または前記脇支持部にいずれかに着脱自在に連結する複数の支持ベルトと、さらに、前記本体の前部に装着され、ユーザーの身体を着脱自在に保持する少なくとも１つの締結具と、を含む。
【００１０】
前記本体はその下部分に複数の補助支持ベルトをさらに有し、そこでは、脊椎バンドが前記本体の下端部に着脱自在に取り付けられている。
【００１１】
衝撃吸収部が前記脇支持部の上面に装着されている。
【００１２】
前記本体には、基本フレームワークを規定するフレームと、前記フレームの外面の周りを囲む被覆部とが含まれる。
【００１３】
前記フレームは複数の通気孔で構成され、前記被覆部は、複数の通気孔を有するネットまたはクッション効果を有する衝撃吸収部のいずれかで構成される。
【００１４】
衝撃吸収材料が前記フレームと前記被覆部との間に挟入されている。
【００１５】
前記支持ベルトは４つ以上の支持ベルトで構成され、前記補助支持ベルトは、４つ以上の補助支持ベルトで構成され、さらに、前記支持ベルトと前記補助支持ベルトは、互いに平行になるように運動器具のフレームに装着される。
【００１６】
第１実施形態によれば、本発明は、年長者とリハビリテーション運動が必要な患者用の運動器具を提供し、該運動器具は、ユーザーの背部と側腹部の周りを囲む本体を有する安全ジャケットと、前記本体の左右側のそれぞれに凹状に形成された溝に沿って装着され、ユーザーの脇下を支える脇支持部と、前記本体または前記脇支持部にいずれかに着脱自在に連結する複数の支持ベルトと、前記本体の前部に装着され、ユーザーの身体を着脱自在に保持する少なくとも１つの締結具と、さらに、複数の係止突起を有することから前記複数個の支持ベルトが前記係止突起に着脱自在に連結できるようになっているフレームと、を含む。
【００１７】
前記安全ジャケットはその下部分に複数の補助支持ベルトをさらに有し、そこでは、脊椎バンドが前記本体の下端部に着脱自在に取り付けられている。
【００１８】
第２実施形態によれば、本発明は、年長者とリハビリテーション運動が必要な患者用の運動器具を提供し、該運動器具は、安全ジャケットを含み、該安全ジャケットは、ユーザーの背部と側腹部の周りを囲む本体と、前記本体の左右側のそれぞれに凹状に形成された溝に沿って装着され、ユーザーの脇下を支える脇支持部と、前記本体または前記脇支持部にいずれかに着脱自在に連結する複数の支持ベルトと、前記本体の前部に装着され、ユーザーの身体を着脱自在に保持する少なくとも１つの締結具と、基板に垂直に装着された複数の柱と、を有することを特徴とする安全ジャケットを含み、前記複数個の柱によって水平方向に支持されるように装着された一対のガイドレールを含み、さらに、前記ガイドレールに沿って移動する移動具であって、前記安全ジャケットが前記複数個の支持ベルトによって前記移動具に着脱自在に連結することを特徴とする移動具と、を含む。
【００１９】
前記移動具には、回転自在に装着される複数のローラーを有する可動部と、前記可動部下に回転自在に装着され、複数の係止突起を有することから、前記安全ジャケットの支持ベルトが前記係止突起に着脱自在に連結できるようになっている回転部と、さらに、前記回転部の下部分に設けられたハンドルフレームと、が含まれる。
【００２０】
前記安全ジャケットは前記本体の下部分に複数の補助支持ベルトをさらに有し、そこでは、脊椎バンドが前記本体の下端部に着脱自在に取り付けられている。
【発明の効果】
【００２１】
本発明は、さまざまな種類の運動器具に装着され、年長者または患者によって利用されて、ユーザー転倒などの事故を防止し、ユーザーが安全かつ継続的に運動を行うことを可能にすることから、年長者またはリハビリテーション運動の必要な患者が健康的な生活を送ることを可能にする。
【００２２】
さらに、本発明は、ユーザーが容易に装着でき、事故発生時にユーザーの身体を支える脇支持部に快適な軟質クッションが取り付けられているため、脇下部分に生じる痛みを軽減する、年長者とリハビリテーション運動が必要な患者用の安全ジャケットを提供する。
【００２３】
本発明は、ユーザーが容易に装着でき、脇支持部に取り付けられた快適な軟質クッションを有し、そのため、ユーザーの身体を支える脇下部分の周りの痛みを軽減し、ユーザーの脊椎を守り、その身体を直立状態に保ち、ユーザーの重量を支え、ユーザーが全身運動を快適に行うことを可能にし、さらに、変性関節炎のために人工膝関節を持つようになった年長者や、椎間板が破裂している患者が、その全身を用いて歩行運動を安全かつ容易に行うことも可能にする。
【００２４】
さらに、本発明は、年長者またはリハビリテーション運動が必要な患者が安全かつ快適に歩行することや、介護者の介助なしに自宅でリハビリテーション運動を行うことを可能にして、ホームケアシステムを促進する。
【図面の簡単な説明】
【００２５】
図１は、本発明の第１実施形態に係る年長者とリハビリテーション運動が必要な患者用の安全ジャケットを示す斜視図であり、
【００２６】
図２は、図１のＩＩ-ＩＩ線に沿った断面図であり、
【００２７】
図３は、本発明の第１実施形態に係る年長者とリハビリテーション運動が必要な患者用の安全ジャケットが
運動器具に装着され、ユーザーがその安全ジャケットを用いて運動する状態を示す図であり、
【００２８】
図４は、本発明の第２実施形態に係る年長者とリハビリテーション運動が必要な患者用の安全ジャケットを示す斜視図であり、
【００２９】
図５は、本発明の第２実施形態に係る安全ジャケット運動器具に装着され、ユーザーが前記運動器具を用いて運動する状態を示す図であり、
【００３０】
図６は、本発明の第１または第２実施形態に係る安全ジャケットが装着されているレール式運動器具を示す斜視図であり、
【００３１】
図７は、本発明に係るレール式運動器具の移動具を示す斜視図であり、
【００３２】
図８は、図７のＡ部分を示す断面図であり、さらに、
【００３３】
図９は本発明に係るレール式運動器具を示す側面図である。
【発明を実施するための形態】
【実施例】
【００３４】
図１〜図３は、本発明の第１実施形態に係る年長者とリハビリテーション運動が必要な患者用の安全ジャケット１０を示すものである。
【００３５】
図に示すように、本発明に係る年長者とリハビリテーション運動が必要な患者用の安全ジャケット１０には、ユーザーの背部と側腹部の周りを囲む本体１００と、ユーザーの両脇下を支え、事故発生時にユーザーの身体を支える脇支持部１２０と、各脇支持部１２０の上部分に取り付けられる衝撃吸収部１２５と、連結ループ１５３により両脇支持部１２０の両端部に着脱自在に連結する複数の支持ベルト１５０と、が含まれる。
【００３６】
前記本体１００は、その上部、底部、及び前部が開いており、ユーザーの背部と側腹部の周りを安全に囲むような形状をなす。つまり、前記本体１００には、ユーザーの背部の周りを囲む背支持部１１１と、前記背支持部１１１の両側に設けられ、屈曲して前方に延びる側腹支持部１１２と、が含まれる。
【００３７】
さらに、少なくとも１つの締結具１７０が、ユーザーの身体を着脱自在に保持するように前記本体１００の前部に設けられてもよい。バックルやベルクロファスナーなどのさまざまなタイプの取付手段１７１が前記締結具１７０の端部に設けられてもよい。
【００３８】
図２に示すように、前記本体１００には、基本フレームワークを規定するフレーム１１５と、前記フレーム１１５の外面を覆う被覆部１１６と、が含まれる。
【００３９】
前記フレーム１１５は、合成樹脂などの所定の剛性を有する材料からなり、前記本体１００の基本フレームワークを規定し、前記本体の周りを囲むように形成される。さらに、複数の通気孔１１５ａが前記フレーム１１５に形成され、前記被覆部１１６は、複数の通気孔を有するネットないしはスポンジなどのクッション効果を有する衝撃吸収材料で構成されてもよいので、前記被覆部が前記フレーム１１５の外面の周りを囲むことができ、前記安全ジャケットの着用時に良好な空気透過性と良好な感覚を得られるようになっている。また、スポンジなどの衝撃吸収材料１１８がユーザーの身体に隣接する前記フレーム１１５の一部分に設けられてもよい。
【００４０】
さらに、前記フレーム１１５は、前記背支持部１１１に対応するフレーム部と前記本体１００の側腹支持部１１２とが互いに分離するように構成されてもよい。あるいは、前記フレームは一体構造であってもよい。
【００４１】
前記左右脇支持部１２０は、前記側腹支持部１１２の上部分に設けられ、凹溝の形状をなすため、ユーザーの身体がその脇下によって、より確実かつ安全に支えられることを可能にする。各脇支持部１２０はベルト状シートで構成されてもよい。
【００４２】
前記支持ベルト１５０は前記連結ループ１５３を介して前記脇支持部１２０の各端部に直結されるため、より安定的にユーザーの身体を支える。
【００４３】
好ましくは、クッション効果を有する前記衝撃吸収部１２５は各脇支持部１２０の上面に装着されるため、運動中の事故発生時に各脇下に作用する衝撃を緩和する。
【００４４】
前記支持ベルト１５０のそれぞれの下端部は、前記連結ループ１５３を介して前記左右脇支持部１２０のそれぞれの端部に着脱自在に連結する。各支持ベルト１５０の上端部は係止孔１５６を有するので、前記支持ベルトは、ランニングマシン、ステッパー、または固定自転車などの運動器具３００のフレーム３０１に着脱自在に連結できるようになっている。特に、前記支持ベルト１５０の係止孔１５６は、前記フレーム３０１に設けられる係止突起３０２の上に着脱自在に取り付けてもよい。
【００４５】
さらに、各支持ベルト１５０には調整具１５５が設けられてもよい。前記支持ベルト１５０の長さを容易に調節固定できるトリグライドなどのさまざまな調整する手段を前記調整具１５５として用いてもよい。ユーザーは、前記調整具１５５を用いて前記支持ベルト１５０の長さをその身長に応じて調整し固定することができるので、快適かつ安全に運動できる。
【００４６】
なお、前記支持ベルト１５０は４つ以上の支持ベルトで構成されることが好ましい。
【００４７】
つまり、図３に示すように、第１実施形態に係る安全ジャケット１０は、前記４つ以上の支持ベルト１５０を用いて、前記運動器具３００のフレーム３０１上の４つ以上の点により支えることができる。よって、かかる構成は、ユーザーの身体をより安定的にを支え、ユーザーの転倒事故を防止することを可能にし、さらに、ユーザーが前記運動器具３００を使用中に事故が発生しても、ユーザーは安定した姿勢で継続して運動できる。
【００４８】
図４は、本発明の第２実施形態に係る年長者とリハビリテーション運動が必要な患者用の安全ジャケット２０を示す図である。
【００４９】
図に示すように、第２実施形態の安全ジャケット２０は本体１００の下部分に複数の補助支持ベルト２５０を有する。脊椎バンド２６０が前記本体１００の下端部に着脱自在に連結している。
【００５０】
各補助支持ベルト２５０の下端部は、前記本体１００ないしは前記脊椎バンド２６０に着脱自在に取り付けてもよい。係止孔２５６が各補助支持ベルト２５０の上端部に設けられるので、前記補助支持ベルトはランニングマシン、ステッパー、または固定自転車などの運動器具３００のフレーム３０１に着脱自在に連結できるようになっている。特に、前記係止孔２５６は、前記フレーム３０１に設けられる、対応する係止突起３０２の上に着脱自在に取り付けてもよい。
【００５１】
さらに、各補助支持ベルト２５０には調整具２５５が設けられてもよい。前記支持ベルト１５０の長さを容易に調整し固定するトリグライドなどのさまざまな調整する手段を前記調整具２５５として用いてもよい。ユーザーは、前記調整具２５５を用いて前記補助支持ベルト２５０の長さをその身長に応じて調整し固定することができるので、快適かつ安全に運動できる。
【００５２】
なお、前記補助支持ベルト２５０は４つ以上のベルトで構成されることが好ましい。
【００５３】
さらに、前記複数個の補助支持ベルト２５０と前記複数個の支持ベルト１５０とは、互いに平行になるように前記運動器具３００のフレーム３０１に連結するため、より安定的にユーザーの身体を支える。
【００５４】
前記脊椎バンド２６０はユーザーの腰周りに着用される。その後、前記脊椎バンド２６０の２つの端部が、バックルやベルクロファスナーなどの取付手段２６１を介して互いに対して取り付けられるので、前記脊椎バンドをユーザーの身体の周りに安全確実に固定することができるようになるため、ユーザーの脊椎を加圧して守る。
【００５５】
前記脊椎バンド２６０は、ユーザーの脊椎を加圧して守るために十分な剛性と弾性を有する材料からなる。クッションは前記脊椎バンドの内面または外面に取り付けてもよい。
【００５６】
第２実施形態によれば、図５に示すように、前記安全ジャケット１０は、前記複数個の支持ベルト１５０と補助支持ベルト２５０とによって、前記運動器具３００のフレーム３０１上の８つ以上の点で支えられ、ユーザーの脊椎は前記脊椎バンド２６０によって加圧される。かかる構成は、ユーザーが前記運動器具３００を使用中に事故が発生しても、ユーザーの身体をより安定的に支え、より安定した姿勢で運動を継続することを可能にする。
【００５７】
図６〜図９は、本発明の第１または第２実施形態に係る安全ジャケット１０または２０が装着されていて、年長者またはリハビリテーション運動が必要な患者が安全に直立して歩行することを可能にするレール式運動器具５００を示すものである。
【００５８】
図に示すように、本発明のレール式運動器具５００には、基板５０５と、前記基板５０５に垂直に装着される複数の柱５０１と、前記複数個の柱５０１によって水平方向に支持されるように設置される一対のガイドレール５１０と、前記ガイドレール５１０に沿って移動する移動具４００と、前記複数個の支持ベルト１５０ないしは前記複数個の補助支持ベルト２５０によって前記移動具４００に着脱自在に連結される前記安全ジャケット１０または２０と、が含まれる。
【００５９】
前記基板５０５、前記柱５０１、及び前記ガイドレール５１０は、エルボ５１１とフランジ５１２を含む連結部材を介して互いに対して着脱自在に連結されもよい。よって、本発明のレール式運動器具５００は家庭での保管と使用が便利であるという点に利点がある。
【００６０】
なお、支持強度を増すために、補強部材５２０が前記柱５０１と前記ガイドレール５１０との接合部にさらに設けられている。特に、各ガイドレール５１０の長さが増加すると前記補強部材５２０が前記ガイドレールの曲がりを防止するので、各ガイドレール５１０の長さをさらに増加できる。
【００６１】
また、前記レール式運動器具５００をより安定的に支えるため、各基板５０５は「Ｕ字」形状であってもよい。
【００６２】
さらに、クッションなどの衝撃吸収部材５０６は各基板５０５の下面に設けられてもよいため、衝撃を吸収しながら前記基板５０５を支えることができる。
【００６３】
前記移動具４００には、前記ガイドレール５１０に沿って移動する可動部４１０と、前記可動部４００下に回転自在に設置される回転部４２０と、前記回転部の下部分４２０に装着されるハンドルフレーム４３０と、が含まれる。
【００６４】
複数のローラー４１１が前記可動部４１０の上部分に回転自在に装着されている。各ローラー４１１が前記ガイドレール５１０に沿って転動動作を行う。
【００６５】
前記回転部４２０は軸４２１を介して前記可動部４１０に回転自在に装着される。ベアリング４２２は前記軸４２１の外周上に取り付けられ、係止ナット４２３は前記軸４２１の上端部に締結される。
【００６６】
さらに、複数の係止突起４２５が前記回転部４２０の所定部分に設けられる。前記支持ベルト１５０の端部ないしは前記安全ジャケット１０または２０の補助支持ベルト２５０の端部は前記係止突起４２５に着脱自在に連結する。
【００６７】
前記ハンドルフレーム４３０はハシゴ形状をなし、前記回転部４２０の下部分に着脱自在に連結する。ロールクッションなどの衝撃吸収部４３２は前記ハンドルフレームの下端部に装着されてもよい。
【００６８】
ユーザーは、本発明の第１または第２実施形態に係る支持ベルト１５０の端部ないしは安全ジャケット１０または２０の補助支持ベルト２５０の端部が前記回転部４２０の係止突起４２５に連結されている状態で、前記安全ジャケット１０または２０を着用する。
【００６９】
その後、ユーザーが前記安全ジャケット１０または２０によって安定的に支えられながら、ユーザーは、その脊椎が直立した状態で、前記ガイドレール５１０に沿って歩行運動を行うことができる。
【図１】
2009542406.tif 000003
【図２】
2009542406.tif 000004
【図３】
2009542406.tif 000005
【図４】
2009542406.tif 000006
【図５】
2009542406.tif 000007
【図６】
2009542406.tif 000008
【図７】
2009542406.tif 000009
【図８】
2009542406.tif 000010
【図９】
2009542406.tif 000011
【国際調査報告】
2009542406.tif 000012
2009542406.tif 000013